(57)【要約】      （修正有）【課題】二次電池、二次電池パック及びそれを電源として用いた電子機器に於いて、外部信号を受信してＩＣタグを起動させ、ＩＣタグ内に記録されたＩＤナンバーを含む二次電池の個別情報を二次電池を用いた電子機器に送信して識別させる事のできる二次電池を提供する。【解決手段】ＩＤナンバーを付与した外部信号により起動するＩＣタグ２を具備した二次電池１であり、外部信号により起動する自ら電源部を持たないＩＣタグ２に少なくともＩＤナンバーを含む二次電池１の個別認識情報を格納したことを特徴とする。【選択図】図２
2006236806.tif 000002
【特許請求の範囲】
【請求項１】
ＩＤナンバーを付与したＩＣタグを具備する二次電池であって、外部信号により起動する前記ＩＣタグに少なくとも前記ＩＤナンバーを含む前記二次電池の個別認識情報を格納したことを特徴とする二次電池。
【請求項２】
ＩＣタグのＩＤナンバーおよび二次電池の個別認識情報の少なくとも一つ以上の情報が、暗号化処理されたものであることを特徴とする請求項１に記載の二次電池。
【請求項３】
ＩＣタグを取り外された際にＩＣタグが回路的に分断されるように構成したことを特徴とする請求項１に記載の二次電池。
【請求項４】
ＩＤナンバーを付与したＩＣタグを具備する二次電池を内蔵した二次電池パックであって、外部信号により起動する前記ＩＣタグに少なくとも前記ＩＤナンバーを含む前記二次電池の個別認識情報を格納したことを特徴とする二次電池パック。
【請求項５】
二次電池を内蔵し、ＩＤナンバーを付与したＩＣタグを具備した二次電池パックであって、外部信号により起動する前記ＩＣタグに少なくとも前記ＩＤナンバーを含む前記二次電池の個別認識情報を格納したことを特徴とする二次電池パック。
【請求項６】
ＩＣタグのＩＤナンバーおよび二次電池の個別認識情報の少なくとも一つ以上の情報が、暗号化処理されたものであることを特徴とする請求項４または請求項５に記載の二次電池パック。
【請求項７】
ＩＣタグを取り外された際にＩＣタグが回路的に分断されるように構成したことを特徴とする請求項４または請求項５に記載の二次電池パック。
【請求項８】
ＩＤナンバーを付与したＩＣタグを具備する二次電池を電源とし、無線送受信部を具備した前記二次電池を用いた電子機器であって、前記二次電池が前記電子機器に装着された際に、前記無線送受信部から発信された信号にて起動する前記ＩＣタグで受信し、電源供給を受けると同時に前記ＩＣタグより少なくとも前記ＩＤナンバーを含む前記二次電池の個別認識情報を前記無線送受信部に送信することにより、前記二次電池が前記電子機器に装着されたことを認識し、前記二次電池を用いた前記電子機器の電源が駆動するように構成したことを特徴とする電子機器。
【請求項９】
ＩＤナンバーを付与したＩＣタグを具備する二次電池を内蔵した二次電池パックを電源とし、無線送受信部を具備した前記二次電池パックを用いた電子機器であって、前記二次電池パックが前記電子機器に装着された際に、前記無線送受信部から発信された信号にて起動する前記ＩＣタグで受信し、電源供給を受けると同時に前記ＩＣタグより少なくとも前記ＩＤナンバーを含む前記二次電池の個別認識情報を前記無線送受信部に送信することにより、前記二次電池パックが前記電子機器に装着されたことを認識し、前記二次電池パックを用いた前記電子機器の電源が駆動するように構成したことを特徴とする電子機器。
【請求項１０】
ＩＤナンバーを付与したＩＣタグを具備し、二次電池を内蔵した二次電池パックを電源とし、無線送受信部を具備した前記二次電池パックを用いた電子機器であって、前記二次電池パックが前記電子機器に装着された際に、前記無線送受信部から発信された信号にて起動する前記ＩＣタグで受信し、電源供給を受けると同時に前記ＩＣタグより少なくとも前記ＩＤナンバーを含む前記二次電池の個別認識情報を前記無線送受信部に送信することにより、前記二次電池パックが前記電子機器に装着されたことを認識し、前記二次電池パックを用いた前記電子機器の電源が駆動するように構成したことを特徴とする電子機器。
【請求項１１】
ＩＣタグのＩＤナンバーおよび二次電池の個別認識情報の少なくとも一つ以上の情報が、暗号化処理されたものであることを特徴とする請求項８〜１０いずれか１つに記載の電子機器。
【請求項１２】
二次電池の個別認識情報が照合されない場合に、不適合の警告を表示させる表示手段を設けたことを特徴とする請求項８〜１０いずれか１つに記載の電子機器。
【発明の詳細な説明】
【技術分野】
【０００１】
本発明は、二次電池、二次電池パックおよびそれを電源として用いた電子機器に関する。
【背景技術】
【０００２】
従来、二次電池単体の個別認識情報を認識することがなかったが、二次電池パックにおいては、認識する技術が広く知られている。二次電池パックの識別の目的は、正規に設計された充電器との組合せにより、大きくは、二次電池の識別、および電池品種の識別に二分される。ここで二次電池の識別に関しては、使用する電子機器の二次電池収納部に合わせた形状・寸法により、一方、二次電池品種の識別に関しては、二次電池パックの充電端子の＋側を固定位置とし、−側の位置を品種によって個別に対応する方法により行われていた。
【０００３】
しかし、このような二次電池パックの充電端子に、正規に設計された充電器以外の充電器を直接接続した場合でも、充電可能でありながらも充電時における電池の安全性は保証されないという課題を有していた。
【０００４】
そこで、二次電池パックに識別回路を設けることで、二次電池パック側で充電器の識別を行い、専用充電器以外は充電回路を形成できない状態とし、専用充電器からの充電制御信号を二次電池パックが認識してはじめて、充電回路のスイッチが閉じ充電回路を形成する方法が開示されている。（例えば、特許文献１参照）
さらに、電源部、受信部および送信部を内蔵した真贋判定回路を備えた二次電池パックであり、二次電池パックが電子機器に装着されて起動電波を受信すると、真贋判定回路の電源部が受信部と送信部に電力を供給し、送信部が真贋判定電波を送信することにより、二次電池パックの真贋判定を行う方法が開示されている。（例えば、特許文献２参照）
【特許文献１】特開平０５−１３５８０４号公報
【特許文献２】特開２００３−１６８４０６号公報
【発明の開示】
【発明が解決しようとする課題】
【０００５】
しかしながら、上述した特許文献１の従来技術は、二次電池パックの充電端子に正規に設計された充電器以外の充電器を直接接続した際、あるいは二次電池パックを装着した電子機器の充電端子に正規に設計された充電器以外の充電器を直接接続した際は、充電器側の充電端子の配置が同一の場合には専用充電器以外でも充電可能であり、充電時における電池の安全性は保証されないという課題を有していた。また、このような課題は、二次電池の識別が二次電池パック本体ではなく、充電器側で識別を行うことが主流となっていることにも起因している。
【０００６】
また、信号端子を介して電気信号をやり取りすることで正規な二次電池パックであるか否かの判別を行っているが、信号端子が接触不良などを起こした際には、正規な二次電池パックであっても使用できないといった不具合が生じる。さらに、正規な二次電池パックであるか否かの判別を行っている信号のやり取りを磁気的に行った場合、二次電池パック周囲に存在した強磁性体により誤作動を生じたり、信号のやり取りを光学的に実施した場合には送受信部への埃等付着による誤作動を発生する恐れがある。
【０００７】
また、特許文献２に開示された方法においては、真贋判定回路に送信部、受信部以外に電源部を内蔵させる必要があり、この真贋判定回路自体が高価なものとなると同時に、真
贋判定回路の電源部に電力不足あるいは不具合が発生した際には、正規な二次電池パックであっても使用できないといった不具合が生じる。
【０００８】
本発明は、上記従来の課題を鑑みてなされたもので、外部信号を受信してＩＣタグを起動させ、ＩＣタグ内に記録されたＩＤナンバーを含む二次電池の個別情報を二次電池を用いた電子機器に送信して識別させることのできる二次電池を提供することを目的とする。
【課題を解決するための手段】
【０００９】
上記のような目的を達成するために、ＩＤナンバーを含む二次電池の個別認識情報を格納し、外部信号を受信して起動するＩＣタグを二次電池に具備する構成にしている。そのため、ＩＣタグ自ら電源部を持たずに起動でき、二次電池の個別認識情報を送信することができる。
【発明の効果】
【００１０】
本発明によれば、外部信号を受信して起動するＩＣタグが二次電池に具備されており、ＩＣタグ内に記憶されたＩＤナンバーを含む二次電池の個別認識情報を自ら電源部を持たずとも外部信号により起動するＩＣタグにて送信ができるため、取り付け場所の範囲が広がり、コンパクト化が可能である。
【発明を実施するための最良の形態】
【００１１】
本発明の実施形態においては、ＩＤナンバーを付与した外部信号により起動するＩＣタグを二次電池に具備し、ＩＣタグにはＩＤナンバーを含む二次電池の個別認識情報を格納している。二次電池に外部信号により起動するＩＣタグが具備されたことで、二次電池の個別認識情報を送受信させる動作を自ら電源部を持たずに行える上、構成のコンパクト化が可能である。
【００１２】
ＩＣタグ内に格納されているＩＤナンバーおよび二次電池の個別認識情報の少なくとも一つ以上の情報が暗号化処理されたことで、二次電池を用いた電子機器に正確な情報が伝達される。
【００１３】
ＩＣタグを取り外すとＩＣタグは回路的に分断され、再使用できないことにより、二次電池を用いた電子機器に不正確な情報が伝達されるのを防ぐことができる。
【００１４】
二次電池パックに内蔵される二次電池に外部信号より起動するＩＣタグを具備し、ＩＣタグに少なくともＩＤナンバーを含む二次電池の個別認識情報を格納している。外部信号よりＩＣタグが起動することにより、二次電池パックに内蔵された二次電池の個別認識情報を取り出す動作を自ら電源部を持たずに行え、二次電池パックのコンパクト化が可能である。
【００１５】
二次電池パックに内蔵される二次電池のＩＤナンバーを含む二次電池の個別認識情報を格納しているＩＣタグを具備し、外部信号よりＩＣタグが起動することにより、二次電池パックに内蔵された二次電池の個別認識情報を取り出す動作を自ら電源部を持たずに行える。
【００１６】
二次電池パックに内蔵される二次電池のＩＤナンバーおよび個別認識情報の少なくとも一つ以上の情報が暗号化処理されたことで、二次電池パックを用いた電子機器に正確な情報が伝達される。
【００１７】
二次電池パックに内蔵されるＩＣタグを取り外された際にＩＣタグが回路的に分断されることにより、二次電池パックを用いた電子機器に不正確な情報が伝達されるのを防ぐこ
とができる。
【００１８】
二次電池を用いた電子機器に無線送受信部を設け、電子機器の無線送受信部から発信された信号にてＩＣタグを起動させ、二次電池の個別認識情報を二次電池を用いた電子機器にて受信することにより、二次電池の個別認識情報を認識し、二次電池の適合した電源駆動を行なうことができる。さらに、二次電池の個別認識情報を二次電池を用いた電子機器側に送受信させる動作をＩＣタグ自ら電源部を持たずに送受信できる。
【００１９】
二次電池パックを用いた電子機器に無線送受信部を設け、電子機器の無線送受信部から発信された信号にて二次電池に具備されたＩＣタグを起動させ、二次電池の個別認識情報を二次電池パックを用いた電子機器にて受信することにより、二次電池の個別認識情報を認識し、二次電池の適合した電源駆動を行なうことができる。さらに、二次電池の個別認識情報を二次電池パックを用いた電子機器側に送受信させる動作をＩＣタグ自ら電源部を持たずに送受信できる。
【００２０】
二次電池パックに二次電池とＩＤナンバーを付与したＩＣタグを内蔵し、二次電池パックを用いた電子機器に無線送受信部を設け、電子機器の無線送受信部から発信された信号にてＩＣタグを起動させ二次電池の個別認識情報を認識し、二次電池の適合した電源駆動を行なうことができ、二次電池の個別認識情報をＩＣタグ自ら電源部を持たずに送受信することができる。
【００２１】
二次電池または、二次電池パックを用いた電子機器に送信される二次電池の個別認識情報の少なくとも一つ以上の情報が暗号化処理されていることで、二次電池または、二次電池パックを用いた電子機器に正確な情報が伝達される。
【００２２】
二次電池の個別認識情報が照合されない場合に、不適合の警告を表示させることにより、二次電池、二次電池パックおよびそれを用いた電子機器を使用している側に二次電池の個別認識情報の不適合を提示することができる。
【実施例１】
【００２３】
以下、本発明に係る外部信号により起動するＩＣタグを具備した二次電池、前記の二次電池を内蔵する二次電池パックおよび前記の二次電池、または前記の二次電池パックを装着した機器の実施の形態について、図面を参照しながら詳細に説明する。
【００２４】
ここで、二次電池パックを装着した電子機器とは、例えば、携帯電話、ＰＤＡ等の携帯情報端末、ハンドキャリータイプのパーソナルコンピュータ、通信型のゲーム機器、充電器等が含まれるが、これらに限定されるものではない。
【００２５】
図１は、本発明の二次電池および二次電池パックに具備された外部信号により起動する自ら電源部を持たないＩＣタグ２の斜視図である。図１で示されるように、外部信号により起動するＩＣタグ２はデータを格納するためのメモリ部１４と無線送受信器１５により構成されている。また、張り付いたＩＣタグ２を剥がす際、ＩＣタグ２のメモリ部１４と無線送受信部１５の間に形成された溝部１６が切断され、剥がすことでＩＣタグ２の回路構成が分断され、破壊されてしまう構造になっている。
【００２６】
図２は、外部信号により起動する自ら電源部を持たないＩＣタグ２を具備した二次電池である本発明の実施形態の円筒形二次電池１の斜視図である。円筒形二次電池１の外装缶側面に図４に示されるようなＩＣタグ２が貼り付けられている。また、その上を外装フィルムで覆われる場合もある。ＩＣタグ２と円筒形二次電池１とは電気的に接続されておらず、ＩＣタグ２を駆動させる電源は円筒形二次電池１を電源として使用していない。また
、円筒形二次電池１に張り付いたＩＣタグ２を剥がす際に、図１に示されるようにＩＣタグ２のメモリ部１４と無線送受信部１５の間に形成された溝部１６が切断され、剥がすことでＩＣタグ２の回路構成が分断され、再使用できないように破壊されてしまう構造になっている。
【００２７】
図３においては、外部信号により起動する自ら電源部を持たないＩＣタグ２を具備した同実施の形態の角筒形二次電池１２の斜視図である。角筒形二次電池１２の端子が格納されている樹脂形成部にＩＣタグ２が埋め込まれている。また、角筒形二次電池１２の外装缶側面に貼り付けられることもあり、その上を外装フィルムで覆われる場合もある。ＩＣタグ２と角筒形二次電池１２とは電気的に接続されておらず、ＩＣタグ２を駆動させる電源は角筒形二次電池１２を電源として使用していない。角筒形二次電池１２に強固に張り付いたＩＣタグ２を剥がす際、ＩＣタグ２のメモリ部１４と無線送受信部１５の間に形成された溝部１６が切断され、剥がすことでＩＣタグ２の回路構成が分断され、再使用できないように破壊されてしまう構造になっている。
【００２８】
さらに、図４の斜視図においては、外部信号により起動する自ら電源部を持たないＩＣタグ２を具備した円筒形二次電池１が内蔵された本発明の二次電池パック３である。複数個の円筒形二次電池１には各々の外部信号により起動する自ら電源部を持たないＩＣタグ２が貼り付けられており、電極同士を電気的に接続した複数個の円筒形二次電池１が二次電池パック３の底蓋部３１に収納され、電極は二次電池パック３の外部に通じる端子部３３に電気的に接続される。収納後、二次電池パック３の上蓋部３２を被せ、超音波、接着剤等により底蓋部３１と上蓋部３２は接合され二次電池パック３を構成している。なお、二次電池パック３においては、二次電池パック３を形成している底蓋部３１、上蓋部３２はＡＢＳ樹脂、紙等の外部信号を通過させる材料が良く、円筒形二次電池１の代わりに角筒形二次電池１２を使用しても構わない。
【００２９】
また、図５の斜視図のように、角筒形二次電池１２および外部信号により起動する自ら電源部を持たないＩＣタグ２を内蔵した本発明の二次電池パック３５である。この二次電池パック３５においては、ＩＣタグ２を各々の角筒形二次電池１２に貼り付けず、二次電池パック３５に対して１個のＩＣタグ２が内蔵されている。複数個の角筒形二次電池１２の電極同士が電気的に接合され、二次電池パック１２の外部と通じる端子部３３に電気的に接続されている。二次電池パック３５を形成している蓋部３１、３２は外部信号を通過させる材料がよく、外部信号を通過させない鉄製等の場合は二次電池パック３５の蓋部に孔を設けても構わない。また、角筒形二次電池１２の代わりに円筒形二次電池１を内蔵しても良い。
【００３０】
図６は、二次電池およびこの二次電池を装着した携帯電話本体の本発明における一実施の形態のブロック図である。
【００３１】
予め角筒形二次電池１２の個別認識情報を格納したＩＣタグ２を、角筒形二次電池１２に内蔵した。角筒形二次電池１２を携帯電話本体１１に装着することで、携帯電話本体１１に内蔵された無線送受信部１３の無線発信回路４より角筒形二次電池１２のＩＣタグ２に電磁波または、マイクロ波を発信し、ＩＣタグ２の無線送受信器１５で受信された電磁波または、マイクロ波をＩＣタグ２の個別識別情報を格納しているメモリ部１４の作動電力として供給する。次に、角筒形二次電池１２の個別識別情報をＩＣタグ２の無線送受信器１５より送信し、角筒形二次電池１２の個別識別情報を携帯電話本体１１に内蔵された無線送受信部１３の無線受信回路５により受信し、個別識別情報を信号処理回路６で信号処理したのち、制御回路７を介して制御出力回路８にて個別識別情報が正規の値であることを認識し、スイッチ回路１０を駆動することにより、充電回路９を形成することで充電可能な状態にした。
【００３２】
充電可能な状態になった角筒形二次電池１２を装着した携帯電話本体１１と充電器とを繋げることで角筒形二次電池１２への充電が始まる。また、角筒形二次電池１２の個別認識情報を携帯電話本体１１にて照合した結果、正規の値が認識できなかった場合には、制御回路７にて認識し、装着した角筒形二次電池１２が適合していないことの旨を、携帯電話本体１１の表示部１７である液晶画面中に表示した。さらに、充電時の安全を考慮してスイッチ回路１０を遮断することにより、角筒形二次電池１２に充電ができないようにした。
【００３３】
さらに、個別認識情報に基づいた充電状態で充電されなかった場合、過充電の恐れを排除するために充電回路９を遮断し角筒形二次電池１２に充電ができないようにし、装着した充電器が適合していないことの旨を、携帯電話本体１１の表示部１７である液晶画面中に表示した。
【００３４】
また、角筒形二次電池１２の個別認識情報を携帯電話本体１１にて照合した結果、正規の値が認識できなかった場合には、制御回路７にて認識し、装着した角筒形二次電池１２が適合していないことの旨を携帯電話本体１１の表示部１７である液晶画面中に表示し、スイッチ回路１０を遮断することにより、携帯電話本体１１への電源供給を停止した。ここで、角筒形二次電池１２に充電電力の残量がない場合は、充電器に接続された時の充電器からの電力を使用して携帯電話本体１１への表示や電源供給停止作動を行なった。また、液晶画面表示の代わりに表示灯の点灯、点滅などでも構わず、警告を示すものであれば、何ら支障を及ぼすことはない。
【００３５】
次に、図７に示されるブロック図では、電池パック３およびこの電池パック３を装着したハンドキャリータイプのパーソナルコンピュータ（以下ＰＣと称す）本体１１の本発明における一実施の形態である。
【００３６】
予め円筒形二次電池１の個別認識情報を格納したＩＣタグ２を円筒形二次電池１の本体部に設置したのち、制御回路７、制御出力回路８、充電回路９、スイッチ回路１０とともに、円筒形二次電池１をパッケージングすることで、ＰＣ本体１１用二次電池パック３を形成した。
【００３７】
二次電池パック３をＰＣ本体１１に装着することで、ＰＣ本体１１に内蔵された無線送受信部１３の無線発信回路４より円筒形二次電池１のＩＣタグ２に電磁波または、マイクロ波を発信し、ＩＣタグ２の無線送受信器１５で受信された電磁波または、マイクロ波をＩＣタグ２の個別識別情報を格納しているメモリ部１４の作動電力として供給する。さらに、円筒形二次電池１の個別識別情報をＩＣタグ２の無線送受信器１５より送信し、円筒形二次電池１の個別識別情報をＰＣ本体１１に内蔵された無線送受信部１３の無線受信回路５により受信し、個別識別情報を信号処理回路６で電気信号に変換される。次いで、二次電池パック３側の制御回路７に電気信号が送られ、制御出力回路８にて個別識別情報が正規の値であることを認識し、スイッチ回路１０を駆動することにより、充電回路９を形成することで、充電可能な状態にした。
【００３８】
図６と同様に個別認識情報を認識することで、ＰＣ本体１１への電源供給を行ったり、充電可能状態および充電停止状態にする作動を行った。また、個別認識情報を認識されない場合や個別認識情報に基づいた充電状態で充電されなかった場合、装着した二次電池パック３が適合していないこと等の旨をＰＣ本体１１の表示部１７に警告表示させた。
【００３９】
ここで、ＩＣタグ２内に格納される個別認識情報としては、ＩＤナンバー以外に例えば、電池の種類、製造元、製造年月日、製造番号、電池品番、定格容量、定格電圧等の一般
的情報は言うに及ばず、この電池個体の製造工程履歴情報を格納することも可能であり、さらに、過充電電圧、過充電電流、過放電電圧、素子温度等の安全性能に関わる情報を格納することも可能であるが、これらに限定されるものではない。また、ＩＣタグ２のＩＤナンバーおよび円筒形二次電池１または角筒形二次電池１２の個別認識情報の少なくとも一つ以上の情報が、暗号化処理されていることにより個別識別情報を書き換えられることに対して保護を行っている。
【００４０】
また、円筒形二次電池１または角筒形二次電池１２および二次電池パック３５に具備されたＩＣタグ２を剥がす行為によりＩＣタグ２は回路的に分断され、個別識別情報を書き換えられることに対して保護も行っている。
【００４１】
ＩＤナンバーを含む個別認識情報をＩＣタグ２内に格納し、かつ、外部信号を受信して起動するＩＣタグ２を円筒形二次電池１または角筒形二次電池１２および二次電池パック３、３５に具備する構成をしているため、無線送受信部１３を設置した電子機器１１からの信号を受信することでＩＣタグ２が起動し、円筒形二次電池１または角筒形二次電池１２の個別識別情報を電子機器１１に送信することで、二次電池１，１２または二次電池パック３、３５を用いた電子機器に適合した電源供給ができ、充電電圧及び電流の異なって充電する電子機器１１にて充電されることなく、安全な円筒形二次電池１または角筒形二次電池１２の充放電を確保することができる。さらに、ＩＣタグ２が円筒形二次電池１または角筒形二次電池１２の個別認識情報を取り出す動作を自ら電源部を持たずに行えることにより、コンパクト化が可能である。
【産業上の利用可能性】
【００４２】
二次電池または、二次電池を内蔵した二次電池パックに外部信号を受信して起動するＩＣタグを設置し、ＩＣタグに格納された二次電池の個別認識情報を取り出す動作を自ら電源部を持たずに行えることにより、コンパクト化が可能である。また、送受信可能な識別手段を二次電池または、二次電池パックを用いた電子機器側に設けることで、適切な充放電制御を行うことができ、二次電池を安全に充放電することが可能な二次電池、二次電池パックおよびそれを用いた電子機器を提供できる。
【図面の簡単な説明】
【００４３】
【図１】本発明の実施形態における外部信号により起動する自ら電源部を持たないＩＣタグの斜視図
【図２】同実施形態における外部信号により起動する自ら電源部を持たないＩＣタグを具備した円筒形二次電池の斜視図
【図３】同実施の形態の外部信号により起動する自ら電源部を持たないＩＣタグを具備した角筒形二次電池の斜視図
【図４】同実施の形態の外部信号により起動する自ら電源部を持たないＩＣタグを具備した二次電池が内蔵された二次電池パックの斜視図
【図５】同実施の形態の外部信号により起動する自ら電源部を持たないＩＣタグと二次電池が内蔵された二次電池パックの斜視図
【図６】同実施の形態の二次電池を装着した電子のブロック図
【図７】同実施の形態の二次電池パックを装着した電子機器のブロック図
【符号の説明】
【００４４】
１  円筒形二次電池
２  ＩＣタグ
３  二次電池パック
４  無線発信回路
５  無線受信回路
６  信号処理回路
７  制御回路
８  制御出力回路
９  充電回路
１０  スイッチ回路
１１  電子機器
１２  角筒形二次電池
１３  無線送受信部
１４  メモリ部
１５  無線送受信器１６  溝部
１７  表示部
３１  二次電池パックの底蓋部
３２  二次電池パックの上蓋部
３３  二次電池パックの端子部
３５  二次電池パック
【図１】
2006236806.tif 000003
【図２】
2006236806.tif 000004
【図３】
2006236806.tif 000005
【図４】
2006236806.tif 000006
【図５】
2006236806.tif 000007
【図６】
2006236806.tif 000008
【図７】
2006236806.tif 000009